(57)【要約】【課題】伝搬条件の悪い無線局にもスケジューリングの機会を与えながら、無線リソースが無駄に使われることがないスケジューリング方法を提供する。【解決手段】受信した無線信号の受信品質と、所要受信品質が最低の変調・コーディング方式ＭＣＳである最低伝送モードＭＣＳ１に対応する実効ＳＮＲ“ｒ１”とを比較し（ステップＳ１０）、前記無線信号の受信品質が“ｒ１”未満に劣化している場合は（ステップＳ１０のＹＥＳ）、最低伝送モードＭＣＳ１の誤り率特性と前記無線信号の受信品質とに応じて、“０”と最低伝送モードＭＣＳ１の伝送レートの期待値との中間の瞬時伝送レートを、前記無線信号の受信品質が“ｒ１”未満の場合の伝送レートの期待値として算出し（ステップＳ１２）、該伝送レートの期待値に応じたスケジューリングを行う。【選択図】        図２
2010239237.tif 000002
【特許請求の範囲】
【請求項１】
基地局と複数の無線局それぞれとの間のデータ伝送として達成が期待できる伝送レートの期待値を参照にしてスケジューリングするスケジューリング方法であって、前記データ伝送を行う伝送モードのうち、所要受信品質が最も低い最低伝送モードよりも伝搬条件が悪い無線局については、前記最低伝送モードで決まる伝送レートよりも細かいステップで伝送レートの期待値を算出し、算出した該伝送レートの期待値に基づいてスケジューリングを行うことを特徴とするスケジューリング方法。
【請求項２】
前記最低伝送モードより伝搬条件が悪い無線局について算出する前記伝送レートの期待値を、無線信号の受信品質と前記最低伝送モードの誤り率特性とに基づいて計算することを特徴とする請求項１に記載のスケジューリング方法。
【請求項３】
前記最低伝送モードより伝搬条件が悪い無線局について算出する前記伝送レートの期待値を、前記最低伝送モードの誤り率特性を複数の領域に分割した領域それぞれに対応付けて計算することを特徴とする請求項２に記載のスケジューリング方法。
【請求項４】
基地局と複数の無線局それぞれとの間のデータ伝送として達成が期待できる伝送レートの期待値を参照にしてスケジューリングするスケジューラ装置であって、前記データ伝送を行う伝送モードのうち、所要受信品質が最も低い最低伝送モードよりも伝搬条件が悪い無線局については、前記最低伝送モードで決まる伝送レートよりも細かいステップで伝送レートの期待値を算出し、算出した該伝送レートの期待値に基づいてスケジューリングを行うことを特徴とするスケジューラ装置。
【請求項５】
前記最低伝送モードより伝搬条件が悪い無線局について算出する前記伝送レートの期待値を、無線信号の受信品質と前記最低伝送モードの誤り率特性とに基づいて計算することを特徴とする請求項４に記載のスケジューラ装置。
【請求項６】
前記最低伝送モードより伝搬条件が悪い無線局について算出する前記伝送レートの期待値を、前記最低伝送モードの誤り率特性を複数の領域に分割した領域それぞれに対応付けて計算することを特徴とする請求項５に記載のスケジューラ装置。
【請求項７】
基地局と複数の無線局それぞれとの間のデータ伝送として達成が期待できる伝送レートの期待値を参照にしてスケジューリングするスケジューラ装置であって、各無線局からの信号の受信品質に基づいて前記伝送レートの期待値を算出する瞬時伝送レート算出手段と、該瞬時伝送レート算出手段が算出した前記伝送レートの期待値に基づいて各無線局のスケジューリングの割り当て指標を計算する割り当て指標算出手段と、該割り当て指標算出手段が計算した各無線局のスケジューリングの前記割り当て指標に基づいて無線局のスケジューリングを判定する判定手段とから構成され、前記瞬時伝送レート算出手段は、所要受信品質が最も低い最低伝送モードよりも伝搬条件が悪い無線局については、前記最低伝送モードで決まる伝送レートよりも細かいステップで伝送レートの期待値を算出することを特徴とするスケジューラ装置。
【請求項８】
請求項１ないし３のいずれかに記載のスケジューリング方法をコンピュータによって実行可能なプログラムとして実施していることを特徴とするスケジューリング用プログラム。
【請求項９】
請求項８に記載のスケジューリング用プログラムをコンピュータによって読み取り可能な記録媒体に記録していることを特徴とするプログラム記録媒体。
【発明の詳細な説明】
【技術分野】
【０００１】
本発明は、無線データ通信におけるスケジューリング方法、スケジューラ装置、スケジューリング用プログラムおよびプログラム記録媒体に関わり、特に、プロポーショナル・フェアネス（比例公平性）の原理に基づくスケジューリングを行うスケジューリング方法、スケジューラ装置、スケジューリング用プログラムおよびプログラム記録媒体に関する。
【背景技術】
【０００２】
基地局と複数の無線局との間の上りマルチキャリア信号を構成するサブキャリアを複数の無線局に割り当てるスケジューリング方法として、例えば、特許文献１の特開２００５−２７３０６号公報「無線パケット・データ・システムでスケジューラ性能を改善する方法および装置」においては、ＩＥＥＥ８０２．１６e規格（モバイルＷｉＭａｘ）が定義しているＨＡＲＱ（Hybrid  Automatic  Repeat  request：ハイブリッド自動再送要求）の使用を強く意識したスケジューリング方法を提案しており、再送の効果を考慮して、スループットの有効レートを計算し、有効レートからさらに将来の伝送データレートを計算して、伝送の優先順位を決める方式を提案している。
【０００３】
また、特許文献２の特開２００４−４０７８６号公報「スケジューリング方法」においては、データ伝送を受信する複数の無線局のスケジューリングに優先順位を付けて、優先順位付けされたスケジューリングに基づいて複数の無線局間で次のデータ伝送を行う無線局を割り当てる方法を提案している。
【０００４】
図５は、従来の一般的な無線通信システムの概念を示す概念図であり、１つの基地局１０と複数の無線局２０，３０，４０とから構成されている例を示している。基地局１０の主導で通信を行う場合、基地局１０は無線リソースをどのように各無線局２０，３０，４０に割り当てるかを決める。これは、“スケジューリング”と呼ばれている。無線リソースとしては、無線伝送方式の如何により、周波数帯域幅や、時間長、拡散符号などがある。
【０００５】
スケジューリング方法のうち、無線局間の通信の公平性を達成する方法として、プロポーショナル・フェアネス（比例公平性）の基準（例えば、非特許文献１のＩＥＥＥ８０２.１６ｍ−０８／００４,“Project  ８０２.１６ｍ  Evaluation  Methodology  Document”，２００８／０３／０４，p．１３８−１３９）が知られている。プロポーショナル・フェアネスの基準では、各無線局について次の式（１）によって割り当て指標を計算し、割り当て指標の高い無線局から順に無線リソースを割り当てる。
【０００６】
【数１】
2010239237.tif 000003
式（１）の右辺の分子は、その無線局に無線リソースを割り当てたときに達成が期待できる「瞬時伝送レート」である。式（１）の右辺の分母は、その無線局のそれまでの「平均伝送レート」をα乗したものである。αの値は割り当て方針によって決定される。
【０００７】
式（１）に示すように、「平均伝送レート」と比較して「瞬時伝送レート」が高いほど、その無線局を優先してスケジューリングする。なお、式１の右辺の「瞬時伝送レート」は、受信信号の品質に基づいて計算される。例えば、無線局から基地局への上りリンクでは、基地局は各無線局からの受信信号の品質を測定し、それぞれの受信品質に基づいて適用可能な伝送モードを判定し、その伝送モードにおいて単位時間に達成することができる伝送レートを「瞬時伝送レート」とする。
【０００８】
無線局から基地局へ向かう上りリンクのスケジューリングを行う場合の基地局と無線局との構成を図６と図７にそれぞれ示す。つまり、図６は、無線局から基地局へ向かう上りリンクのスケジューリングを行う場合の基地局の関連部位の一般的なブロック構成を示すブロック構成図であり、図７は、無線局から基地局へ向かう上りリンクのスケジューリングを行う場合の無線局の関連部位の一般的なブロック構成を示すブロック構成図である。
【０００９】
図６に示す基地局は、基地局受信アンテナ１１、基地局送信アンテナ１２、受信器１３、スケジューラ装置１４、送信器１５より構成される。基地局受信アンテナ１１では、無線信号を受信する。受信器１３では、基地局受信アンテナ１１で受信した無線信号より各無線局の受信品質を測定し、スケジューラ装置１４へ通知する。また、受信器１３では、各無線局から送信されたデータを復調して受信データとして出力する。スケジューラ装置１４では、受信器１３より通知された各無線局の受信品質を基にスケジューリングを行い、その結果をスケジューリング情報として送信器１５に出力する。送信器１５では、スケジューラ装置１４より入力されたスケジューリング情報を無線信号に変換し、基地局送信アンテナ１２より送信する。
【００１０】
図７に示す無線局は、無線局送信アンテナ２１、無線局受信アンテナ２２、送信器２３、受信器２４より構成される。無線局受信アンテナ２２では、無線信号を受信する。受信器２４では、無線局受信アンテナ２２で受信した無線信号より基地局が送信したスケジューリング情報を復調する。送信器２３では、復調されたスケジューリング情報にしたがって送信データを無線信号に変換し、無線局送信アンテナ２１より送信する。
【００１１】
なお、基地局で測定する各無線局の受信品質としては、干渉信号電力と雑音電力との和に対する希望信号電力の比（ＳＩＮＲ：Signal  to  Interference  and  Noise  Ratio：信号電力対干渉雑音電力比）、あるいは、干渉電力を実効的な雑音電力に換算し、希望信号電力との比をとった実効ＳＮＲ（Signal  to  Noise  Ratio：信号電力対雑音電力比）を用いる。
【００１２】
無線の伝送モードとしては、データ変調方式と、誤り訂正符号の符号化率との組み合わせ（ＭＣＳ：Modulation  and  Coding  Scheme：変調・コーディング方式）を考えることができる。変調・コーディング方式ＭＣＳとして、受信品質に対する誤り率特性が異なるものを段階的に複数設定することができる。この様子を図８に示す。図８では、誤り率特性としてブロック誤り率（ＢＬＥＲ：Ｂｌｏｃｋ  Ｅｒｒｏｒ  Ｒａｔｅ）を示している。
【００１３】
つまり、図８は、信号電力対干渉雑音電力比ＳＮＲに対するブロック誤り率ＢＬＥＲの特性を示す特性図であり、横軸は、雑音電力に対する希望信号電力の比（ＳＮＲ）である。図８において、変調・コーディング方式ＭＣＳは、ＳＮＲが低い方から、ＭＣＳ１、ＭＣＳ２、ＭＣＳ３、とする。一般的なブロック誤り率ＢＬＥＲの目標値である“０．１”以下を達成する実効ＳＮＲを、ＭＣＳ１では“ｒ１”以上、ＭＣＳ２では“ｒ２”以上、ＭＣＳ３では“ｒ３”以上、とする。一般的に、低いＳＮＲでブロック誤り率が低減する変調・コーディング方式ＭＣＳほど瞬時の伝送レートは低い。各変調・コーディング方式ＭＣＳでの瞬時伝送レートを、ＭＣＳ１は“Ｒ１”、ＭＣＳ２は“Ｒ２”、ＭＣＳ３は“Ｒ３”とすると、Ｒ１＜Ｒ２＜Ｒ３の関係にある。
【００１４】
図６に示す基地局のスケジューラ装置１４において、実効ＳＮＲに基づいて瞬時伝送レートを計算するときの特性の例を図９に示す。図９は、従来の一般的な技術において、実効ＳＮＲに対する瞬時伝送レートを計算する際の特性を示す特性図であり、従来技術による割り当て指標を算出する際の瞬時伝送レートの特性を示している。
【００１５】
図９に示すように、実効ＳＮＲが“ｒ１”未満では、最低の変調・コーディング方式ＭＣＳであるＭＣＳ１での伝送は保証されないため、瞬時伝送レートは“０”とする。実効ＳＮＲが“ｒ１”以上“ｒ２”未満の範囲では、ＭＣＳ１での伝送が保証できるため、瞬時伝送レートはＭＣＳ１に対応する“Ｒ１”とする。実効ＳＮＲが“ｒ２”以上“ｒ３”未満の範囲では、ＭＣＳ２での伝送が保証できるため、瞬時伝送レートはＭＣＳ２に対応する“Ｒ２”とする。以下同様にして、実効ＳＮＲと瞬時伝送レートとの対応を決めることができる。
【先行技術文献】
【特許文献】
【００１６】
【特許文献１】特開２００５−２７３０６号公報（第５−７頁）
【特許文献２】特開２００４−４０７８６号公報（第８−１０頁）
【非特許文献】
【００１７】
【非特許文献１】ＩＥＥＥ８０２.１６ｍ−０８／００４,“Project  ８０２.１６ｍ  Evaluation  Methodology  Document”,２００８／０３／０４,（Appendix  Ｆ，pp．１３８−１３９)
【発明の概要】
【発明が解決しようとする課題】
【００１８】
前述のように、図９の特性図に基づいて、瞬時伝送レートを求めた場合、測定された実効ＳＮＲが、最低の変調・コーディング方式ＭＣＳつまり最低伝送モードに対応する実効ＳＮＲ“ｒ１”未満の場合、瞬時伝送レートは０であるため、式（１）で計算される割り当て指標は０となる。その結果、実効ＳＮＲが“ｒ１”未満の無線局はスケジューリングされることがなく、データ通信の機会がない。
【００１９】
かくのごとき事態を回避するため、図９の代わりに、図１０に示すような特性図とすることも考えられる。図１０は、従来の一般的な技術として実効ＳＮＲに対する瞬時伝送レートを計算する際の図９に代わる特性を示す特性図である。図１０では、実効ＳＮＲが“ｒ１”未満であっても、瞬時伝送レートを、最低の変調・コーディング方式ＭＣＳである最低伝送モードＭＣＳ１に対応する“Ｒ１”とする。この結果、実効ＳＮＲが“ｒ１”未満の無線局に対してもスケジューリングされる機会を与えることができる。
【００２０】
しかしながら、実効ＳＮＲが“ｒ１”未満の無線局の誤り率は、他の無線局より高く、平均伝送レートは、瞬時伝送レート“Ｒ１”に見合うだけには上がらない。すなわち、式（１）の右辺の分子が、実際の受信品質以上に大きいため、当該無線局が選択され易くなり、その分、他の無線局の割り当て機会が奪われる。したがって、無線リソースを無駄に使うことになり、全無線局の平均の伝送レートが低下する結果を招くことになる。
【００２１】
（本発明の目的）
本発明の目的は、前述のような問題点を解消し、伝搬条件の悪い無線局にもスケジューリングの機会を与えながら、無線リソースが無駄に使われることがないスケジューリング方法、スケジューラ装置、スケジューリング用プログラムおよびプログラム記録媒体を提供することにある。
【課題を解決するための手段】
【００２２】
前述の課題を解決するため、本発明によるスケジューリング方法、スケジューラ装置、スケジューリング用プログラムおよびプログラム記録媒体は、次のような特徴的な構成を採用している。下記（１）及び（４）なる番号は請求項の項番号にそれぞれ対応している。
【００２３】
（１）基地局と複数の無線局それぞれとの間のデータ伝送として達成が期待できる伝送レートの期待値を参照にしてスケジューリングするスケジューリング方法であって、前記データ伝送を行う伝送モードのうち、所要受信品質が最も低い最低伝送モードよりも伝搬条件が悪い無線局については、前記最低伝送モードで決まる伝送レートよりも細かいステップで伝送レートの期待値を算出し、算出した該伝送レートの期待値に基づいてスケジューリングを行うスケジューリング方法。
（４）基地局と複数の無線局それぞれとの間のデータ伝送として達成が期待できる伝送レートの期待値を参照にしてスケジューリングするスケジューラ装置であって、前記データ伝送を行う伝送モードのうち、所要受信品質が最も低い最低伝送モードよりも伝搬条件が悪い無線局については、前記最低伝送モードで決まる伝送レートよりも細かいステップで伝送レートの期待値を算出し、算出した該伝送レートの期待値に基づいてスケジューリングを行うするスケジューラ装置。
【発明の効果】
【００２４】
本発明のスケジューリング方法、スケジューラ装置、スケジューリング用プログラムおよびプログラム記録媒体によれば、以下のような効果を奏することができる。
【００２５】
伝搬条件の悪い無線局についても、スケジューリングの機会を与えながら、かつ、無線リソースが無駄に使われることがないスケジューリングを行うことができる。その理由は、所要受信品質が最低となる最低伝送モード（最低変調・コーディング方式ＭＣＳ）よりも受信品質が悪い領域においては、無線信号の受信品質と最低伝送モードにおける誤り率特性とに応じて伝送レートの期待値（瞬時伝送レート）を細かいステップで計算することによって、受信品質が悪い領域に該当する無線局に対しても、受信品質に応じて、スケジューリングするようにしているからである。
【図面の簡単な説明】
【００２６】
【図１】本発明に係るスケジューラ装置のブロック構成の一例を示すブロック構成図である。
【図２】図１に示すスケジューラ装置の瞬時伝送レート算出器の動作の一例を示すフローチャートである。
【図３】図１に示すスケジューラ装置の瞬時伝送レート算出器において実効ＳＮＲに対する瞬時伝送レートを計算する際の特性を示す特性図である。
【図４】図１に示すスケジューラ装置の瞬時伝送レート算出器において実効ＳＮＲに対する瞬時伝送レートを計算する際の図３とは異なる特性を示す特性図である。
【図５】従来の一般的な無線通信システムの概念を示す概念図である。
【図６】無線局から基地局へ向かう上りリンクのスケジューリングを行う場合の基地局の関連部位の一般的なブロック構成を示すブロック構成図である。
【図７】無線局から基地局へ向かう上りリンクのスケジューリングを行う場合の無線局の関連部位の一般的なブロック構成を示すブロック構成図である。
【図８】信号電力対干渉雑音電力比ＳＮＲに対するブロック誤り率ＢＬＥＲの特性を示す特性図である。
【図９】従来の一般的な技術において実効ＳＮＲに対する瞬時伝送レートを計算する際の特性を示す特性図である。
【図１０】従来の一般的な技術として実効ＳＮＲに対する瞬時伝送レートを計算する際の図９に代わる特性を示す特性図である。
【発明を実施するための形態】
【００２７】
以下、本発明によるスケジューリング方法、スケジューラ装置、スケジューリング用プログラムおよびプログラム記録媒体の好適な実施例について添付図を参照して説明する。なお、以下の説明においては、本発明によるスケジューリング方法、スケジューラ装置について説明するが、かかるスケジューリング方法をコンピュータにより実行可能なスケジューリング用プログラムとして実施するようにしても良いし、あるいは、スケジューリング用プログラムをコンピュータにより読み取り可能な記録媒体に記録するようにしても良いことは言うまでもない。
【００２８】
（本発明の特徴）
本発明の実施形態の説明に先立って、本発明の特徴についてその概要をまず説明する。本発明は、伝送モードのうち、所要受信品質が最も低い最低伝送モード（最低の変調・コーディング方式ＭＣＳ）よりも伝搬条件が悪い無線局について、無線信号の受信品質に応じて、最低伝送モードで決まる伝送レートの期待値よりもさらに細かいステップで伝送レートの期待値を計算し、計算した伝送レートの期待値に応じてスケジューリングを行い、当該無線局に対してもスケジューリングの機会を与えることを特徴としている。
【００２９】
而して、所要受信品質が最も低い最低伝送モードよりも伝搬条件が悪い無線局については、最低伝送モードで決まる伝送レートの期待値よりもさらに細かいステップで伝送レートの期待値を計算して、プロポーショナル・フェアネス（比例公平性）の原理に基づく判定処理を行うことによって、そのような無線局についても、より適切にスケジューリングの判定を行うことができ、スケジューリングの機会を与えることができる。
【００３０】
（実施形態の構成例）
次に、本発明の実施形態の構成の一例について図１を用いて説明する。図１は、本発明に係るスケジューラ装置のブロック構成の一例を示すブロック構成図であり、無線局から基地局へ向かう上りリンクのスケジューリングを行う場合を例にとって基地局側に配置するスケジューラ装置の構成例を示している。図１に示すスケジューラ装置６０は、各無線局の受信品質に基づいて瞬時伝送レートを算出する瞬時伝送レート算出器６１と、算出した瞬時伝送レートに基づいて割り当て指標を算出する割り当て指標算出器６２とをスケジューリングの対象となる無線局ごとに対応して配置するとともに、各無線局ごとに算出された割り当て指標に基づいて、各無線局のスケジューリングを行うスケジューリング結果を出力する判定器６３を備えている。
【００３１】
（実施形態の動作の説明）
次に、図１に示すスケジューラ装置６０の動作の一例について説明する。スケジューラ装置６０は、前述のように、各無線局の受信品質情報を入力として、瞬時伝送レート算出器６１にて瞬時伝送レートを計算する。割り当て指標算出器６２では、瞬時伝送レート算出器６１で計算した瞬時伝送レートを用いて、過去のスケジューリング結果も参照し、例えば前述した式（１）により割り当て指標を計算する。判定器６３では、各無線局に対応する割り当て指標算出器６２それぞれが出力する割り当て指標を基に、無線局のスケジューリングを行う。判定器６３の判定結果が、スケジューラ装置６０によるスケジューリング結果として、スケジューラ装置６０から出力される。
【００３２】
ここで、割り当て指標算出器６２および判定器６３は、従来技術のものをそのまま適用することができるため、それぞれの動作については、これ以上の説明は省略し、以下では、スケジューラ装置６０の瞬時伝送レート算出器６１の動作についてさらに説明する。
【００３３】
図２は、図１に示すスケジューラ装置６０の瞬時伝送レート算出器６１の動作の一例を示すフローチャートである。図２のフローチャートにおいて、まず、無線局の受信品質と、所要受信品質が最低の変調・コーディング方式ＭＣＳである最低伝送モードＭＣＳ１に対応する実効ＳＮＲ“ｒ１”とを比較する（ステップＳ１０）。無線局の受信品質が“ｒ１”以上に良好であれば（ステップＳ１０のＮＯ）、ステップＳ１１に進み、従来技術と同様に、無線局の受信品質と各変調・コーディング方式ＭＣＳに対応する実効ＳＮＲ“ｒ１”、“ｒ２”、“ｒ３”とを比較して、受信品質がどの実効ＳＮＲの範囲にあるかに応じて、瞬時伝送レートを判定して出力する（ステップＳ１１）。
【００３４】
一方、無線局の受信品質が“ｒ１”未満に劣化している場合は（ステップＳ１０のＹＥＳ）、ステップＳ１２に進み、所要受信品質が最低の変調・コーディング方式ＭＣＳである最低伝送モードＭＣＳ１の誤り率特性と無線局の受信品質とに応じて、“０”と最低伝送モードＭＣＳ１に対応する瞬時伝送レート（伝送レートの期待値）“Ｒ１”との中間の瞬時伝送レートを算出する（ステップＳ１２）。
【００３５】
以上のような動作を行うことにより、瞬時伝送レート算出器６１において算出される瞬時伝送レートは、図３のような特性になる。図３は、図１に示すスケジューラ装置６０の瞬時伝送レート算出器６１において実効ＳＮＲに対する瞬時伝送レートを計算する際の特性を示す特性図である。図３に示すように、所要受信品質が最低の変調・コーディング方式ＭＣＳである最低伝送モードＭＣＳ１の実効ＳＮＲ“ｒ１”未満の無線局についても、受信品質に応じて、伝送モードで決まる伝送レートよりも細かいステップで、伝送レートの期待値を、瞬時伝送レートとして割り当てるスケジューリング結果を出力することを可能としている。
【００３６】
（本発明の他の実施形態）
図２に示すフローチャートのステップＳ１２において算出する瞬時伝送レートとしては、例えば、次の数式（式）（２）を用いても良い。
【００３７】
【数２】
2010239237.tif 000004
式（２）において、ＢＬＥＲ（ＳＮＲ）は、所要受信品質が最低の変調・コーディング方式ＭＣＳである最低伝送モードＭＣＳ１の場合の図８におけるブロック誤り率特性である。式（２）より、ＳＮＲ＜ｒ１の領域においては、瞬時伝送レートは、図３のような特性となる。
【００３８】
また、図３の特性を、ＳＮＲ＜ｒ１の領域において、図４のように、複数の領域に分割して近似するようにしても良い。図４は、図１に示すスケジューラ装置６０の瞬時伝送レート算出器６１において実効ＳＮＲに対する瞬時伝送レートを計算する際の図３とは異なる特性を示す特性図であり、ＳＮＲ＜ｒ１の領域における図３の特性を複数の領域に分割して近似している場合を示している。
【００３９】
なお、前述の実施形態においては、無線局から基地局へ向かう上りリンクのスケジューリングを行う場合を例にとって基地局側に配置するスケジューラ装置の場合について説明したが、基地局から無線局へ向かう下りリンクについても、全く同様のスケジューリング方法を適用することが可能である。
【００４０】
下りリンクの場合、一般的には、無線局は、基地局からの受信信号の受信品質に対応する変調・コーディング方式ＭＣＳの番号を基地局に通知し、基地局において、無線局から通知されてきた変調・コーディング方式ＭＣＳの番号に基づいて瞬時伝送レートを判定してスケジューリングを行うことになる。ここで、本発明の場合は、受信品質の実効ＳＮＲが“ｒ１”未満の領域においては、無線局は、ＭＣＳの番号ではなく、例えば、図４の特性図に示すように、ＭＣＳの番号よりも細かいステップで刻んだ領域のいずれかに対応するより細かな精度の伝送レートの番号を、基地局に通知するようにし、該通知を受け取った基地局においては、伝送モードで決まる伝送レートよりも細かいステップで、伝送レートの期待値を、瞬時伝送レートとして割り当てて、スケジューリングを行うことができる。
【００４１】
（実施形態の効果の説明）
以上に詳細に説明したように、本発明に係る実施形態によれば、伝搬条件の悪い無線局についても、スケジューリングの機会を与えながら、かつ、無線リソースが無駄に使われることがないスケジューリングを行うことができる。その理由は、所要受信品質が最低の変調・コーディング方式ＭＣＳである最低伝送モードＭＣＳ１よりも受信品質が悪い領域においては、無線信号の受信品質と最低伝送モードにおける誤り率特性とに応じて伝送レートの期待値（瞬時伝送レート）を細かいステップで計算することによって、受信品質が悪い領域に該当する無線局に対しても、受信品質に応じて、スケジューリングするようにしているからである。
【００４２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）及び（４）に加え、次のような構成として表現できる。下記（２）−（３）及び（５）−（９）なる番号は、請求項の項番号にそれぞれ対応している。
（２）前記最低伝送モードより伝搬条件が悪い無線局について算出する前記伝送レートの期待値を、無線信号の受信品質と前記最低伝送モードの誤り率特性とに基づいて計算する上記（１）のスケジューリング方法。
（３）前記最低伝送モードより伝搬条件が悪い無線局について算出する前記伝送レートの期待値を、前記最低伝送モードの誤り率特性を複数の領域に分割した領域それぞれに対応付けて計算する上記（２）のスケジューリング方法。
（５）前記最低伝送モードより伝搬条件が悪い無線局について算出する前記伝送レートの期待値を、無線信号の受信品質と前記最低伝送モードの誤り率特性とに基づいて計算する上記（４）のスケジューラ装置。
（６）前記最低伝送モードより伝搬条件が悪い無線局について算出する前記伝送レートの期待値を、前記最低伝送モードの誤り率特性を複数の領域に分割した領域それぞれに対応付けて計算する上記（５）のスケジューラ装置。
（７）基地局と複数の無線局それぞれとの間のデータ伝送として達成が期待できる伝送レートの期待値を参照にしてスケジューリングするスケジューラ装置であって、各無線局からの信号の受信品質に基づいて前記伝送レートの期待値を算出する瞬時伝送レート算出手段と、該瞬時伝送レート算出手段が算出した前記伝送レートの期待値に基づいて各無線局のスケジューリングの割り当て指標を計算する割り当て指標算出手段と、該割り当て指標算出手段が計算した各無線局のスケジューリングの前記割り当て指標に基づいて無線局のスケジューリングを判定する判定手段とから構成され、前記瞬時伝送レート算出手段は、所要受信品質が最も低い最低伝送モードよりも伝搬条件が悪い無線局については、前記最低伝送モードで決まる伝送レートよりも細かいステップで伝送レートの期待値を算出するスケジューラ装置。
（８）上記（１）ないし（３）のいずれかのスケジューリング方法をコンピュータによって実行可能なプログラムとして実施しているスケジューリング用プログラム。
（９）上記（８）のスケジューリング用プログラムをコンピュータによって読み取り可能な記録媒体に記録しているプログラム記録媒体。
【符号の説明】
【００４３】
１０              基地局
１１              基地局受信アンテナ
１２              基地局送信アンテナ
１３              受信器
１４              スケジューラ装置
１５              送信器
２０，３０，４０  無線局
２１              無線局送信アンテナ
２２              無線局受信アンテナ
２３              送信器
２４              受信器
６０              スケジューラ装置
６１              瞬時伝送レート算出器
６２              割り当て指標算出器
６３              判定器
【図１】
2010239237.tif 000005
【図２】
2010239237.tif 000006
【図３】
2010239237.tif 000007
【図４】
2010239237.tif 000008
【図５】
2010239237.tif 000009
【図６】
2010239237.tif 000010
【図７】
2010239237.tif 000011
【図８】
2010239237.tif 000012
【図９】
2010239237.tif 000013
【図１０】
2010239237.tif 000014